【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
人に関する情報を提供するように適応された識別器具であり、この識別器具が、
人によって着用されるかあるいは人に付けられるように適応された構造、
前記構造内あるいは前記構造上に配置された留め具であって、人に前記構造を付けるように適応されている留め具、および
前記構造内あるいは前記構造上に配置されていて、前記留め具に電気的に接続される回路から成り、前記留め具が閉じられると前記回路の機能が作動する識別器具。
【請求項２】
前記回路の機能が、人に関する情報を前記識別器具外部に通信することを含んでいる請求項1記載の識別器具。
【請求項３】
前記回路の機能が、回路への電源を含んでいる請求項1記載の識別器具。
【請求項４】
前記回路の機能が、アンテナ使用可能要素を含んでいる請求項1記載の識別器具。
【請求項５】
前記回路の機能が、アンテナのチューニングを含んでいる請求項1記載の識別器具。
【請求項６】
前記回路の機能が、回路へ入力する論理状態を変更することを含んでいる請求項1記載の識別器具。
【請求項７】
前記構造が、伸張しかつ柔軟である請求項1記載の識別器具。
【請求項８】
前記回路が、外部装置に無線周波数通信によって情報を送信するように適応された無線周波数識別回路を含んでいる請求項1記載の識別器具。
【請求項９】
前記留め具が、第１の接触部および第２の接触部を含み、前記回路が、第１の接触部と第2の接触部が互いに通信状態にあるかどうか決める請求項1記載の識別器具。
【請求項１０】
前記留め具が閉まっている時に、前記回路に前記留め具を接続する電気的な導電体をさらに含む請求項1記載の識別器具。
【請求項１１】
前記導電体と通信する閉鎖部をさらに含む請求項10記載の識別器具。
【請求項１２】
閉鎖部が閉じられた後、前記制御回路は、閉鎖部が開かれたか、不正開放されたかを決定するように適応されている請求項11記載の識別器具。
【請求項１３】
前記第１の接触部および前記第2の接触部が第１の導電体および第2の導電体を含み、前記留め具の閉鎖部は、第１の導電体と第2の導電体とを接続して、少なくとも1つの電気回路を作動する、請求項9記載の識別器具。
【請求項１４】
前記第１の接触部および前記第2の接触部が、第１の導電体および第2の導電体を含み、前記留め具が閉鎖すると、第１の導電体と第2の導電体の間の容量が変更して、電気回路を作動する、請求項9記載の識別器具。
【請求項１５】
前記情報がバイオメトリックデータを含んでいる請求項1記載の識別器具。
【請求項１６】
前記バイオメトリックデータが、人の網膜、指紋、虹彩、音声あるいは遺伝特性を含んでいる、請求項14記載の識別器具。
【請求項１７】
前記情報が人の特徴のイメージを含んでいる、請求項1記載の識別器具。
【請求項１８】
前記情報が光学文字認識可能データを含んでいる、請求項1記載の識別器具。
【請求項１９】
前記識別器具が、リストバンド、ヘッドバンド、アームバンド、アンクルバンド、ネックバンドあるいはレッグバンドである、請求項1記載の識別器具。
【請求項２０】
前記識別器具がパッチまたはカードである、請求項1記載の識別器具。
【請求項２１】
前記回路の少なくとも1つの回路部品が少なくとも1つの有機物質から本質的に作られる、請求項1記載の識別器具。
【請求項２２】
前記回路が完全に少なくとも1つの有機物質から作られる、請求項21記載の識別器具。
【請求項２３】
前記回路に電力を供給するために接続された電源をさらに含み、前記電源が、有機物質から少なくとも部分的に作られている請求項1記載の識別器具。
【請求項２４】
前記回路内にダイオードをさらに含み、前記ダイオードが有機物質を含む請求項1記載の識別器具。
【請求項２５】
情報を格納するように適応されたデータ記憶装置をさらに含み、前記データ記憶装置が少なくとも1つの有機物質から本質的に作られている請求項1記載の識別器具。
【請求項２６】
前記データ記憶装置に接続されたキーパッドをさらに含み、前記キーパッドがデータ記憶装置へデータを入力するように適応されている請求項25記載の識別器具。
【請求項２７】
前記回路に接続されたマイクロストリップアンテナをさらに含み、前記アンテナは、識別器具外部の装置に情報を送信するように適応されている請求項1記載の識別器具。
【請求項２８】
前記マイクロストリップアンテナが連続的な送信アンテナある、請求項27記載の識別器具。
【請求項２９】
構造が人によって着用されるか、または人に付けられる場合、マイクロストリップアンテナは、エネルギーを人から遠ざけて放射し、且つ人に対して本質的により少ないエネルギーを放射するように適応されるように、前記マイクロストリップアンテナが、前記構造上に、あるいはその構造内に配置される、請求項27記載の識別器具。
【請求項３０】
前記マイクロストリップアンテナは、導電性パッチ層、導電性グランド層、およびパッチ層とグランド層の間で配置された誘電体を含み、前記構造が人によって着用されるか、または人に付けられる場合に、前記グランド層は、パッチ層よりも人により近く位置している請求項27記載の識別器具。
【請求項３１】
前記回路に接続された聴覚的または視覚的ディスプレイをさらに含む請求項1記載の識別器具。
【請求項３２】
前記情報が人に関する医療データを含んでいる、請求項1記載の識別器具。
【請求項３３】
識別器具が不正開放されたことを回路が検知する場合に、回路機能の動作を不能にするように回路が適応されている、請求項1記載の識別器具。
【請求項３４】
人と回路に関する情報を格納するように適応されたデータ記憶装置をさらに含み、識別器具が不正開放されたことを決定する場合に、前記情報を変更するか、消すか、破損するように前記回路が適応されている、請求項1記載の識別器具。
【請求項３５】
データ記憶装置がメモリであり、回路が識別器具が不正開放されたと決定する場合に、メモリ内の前記情報を変更するか、消すか、破損するように前記回路が適応されている、請求項34記載の識別器具。
【請求項３６】
データ記憶装置中の情報を変更、消去、または破損すること無しに、認可された人か代理業者が識別器具を取り外すことを可能にするように、前記回路が適応されている請求項34記載の識別器具。
【請求項３７】
前記識別器具が人から分離されたと前記回路が決定する場合に、回路機能の動作を不能にするかまたは変更するように前記回路が適応されている、請求項1記載の識別器具。
【請求項３８】
前記回路機能が前記識別器具外部への情報の通信である請求項37の識別器具。
【請求項３９】
前記回路機能が前記回路への電力供給を含んでいる、請求項37の識別器具。
【請求項４０】
前記回路機能がアンテナ使用可能要素を含んでいる、請求項37の識別器具。
【請求項４１】
前記回路機能がアンテナのチューニングを含んでいる、請求項37の識別器具。
【請求項４２】
前記回路機能が、前記回路への論理状態入力を変更することを含んでいる、請求項37の識別器具。
【請求項４３】
前記構造の中にあるいは上に配置された電気的な導電体をさらに含み、前記導電体が、導電性のワイヤーあるいはファイバー、導電性の箔、溶解可能な導電体、あるいは構造上に印刷された導電体の1つ以上を含み、前記導電体の分裂か破壊が、前記回路に留め具の不正開放が生じたことを決定させる、請求項37の識別器具。
【請求項４４】
前記導電体と通信する閉鎖部をさらに有し、この閉鎖部が、前記導電体と近接して導電性接着剤、導電性閉鎖機構、磁気閉鎖機構、導電性のリベットあるいはステープル、圧着材料あるいは熱結合材料の1つ以上を含む請求項43の識別器具。
【請求項４５】
前記構造内に埋め込まれた非導電性のファイバーのパターンをさらに含み、前記ファイバーは、前記識別器具が過度に伸ばされるかねじられる時に、電気回路の動作を不能にするか、短絡するか、あるいは破壊する請求項37の識別器具。
【請求項４６】
電気回路を動作不能にするか、短絡するか、あるいは破壊することが、前記識別器具が、識別器具の外部に情報を送信するのを防ぐ、請求項45の識別器具。
【請求項４７】
電気回路を動作不能にするか、短絡するか、あるいは破壊することが、前記情報を格納するデータ記憶装置を動作不能にする請求項45の識別器具。
【請求項４８】
インジケータをさらに含み、このインジケータは、識別器具が不正開放されたか否かを示すように適応されている請求項1の識別器具。
【請求項４９】
前記インジケータは、インクか染料を含み、前記回路が識別器具での不正開放を検知する場合、インクあるいは染料を放出するように適応されている請求項48の識別器具。
【請求項５０】
インジケータをさらに含み、インジケータは留め具が閉まっているか否かを示すように適応されている請求項1の識別器具。
【請求項５１】
留め具が閉まっている場合、インジケータが可視識別パターンを形成する請求項50の識別器具。
【請求項５２】
識別パターンに対応する電気回路を作動するように回路が適応されている請求項51の識別器具。
【請求項５３】
人に関する情報を提供するように適応された識別器具であって、この識別器具が、
人によって装着されるかあるいは人に付けられるように適応された構造、
前記構造内、あるいはその構造上に配置された通信回路、人に関するバイオメトリック情報を、識別器具の外部のソースから得るように適応された通信回路、および
バイオメトリック情報を格納するように適応されたデータ記憶装置からなる、識別器具。
【請求項５４】
識別器具の所有者はその認可された持ち手であるか確認する方法であり、
識別器具中の回路に以前に格納された持ち手のバイオメトリックデータを検索し、
識別器具の所有者から現在のバイオメトリックデータを得、そして
以前に格納されたバイオメトリックデータおよび現在のバイオメトリックデータが同一人物に関係しているかどうか決めことを含む方法。
【請求項５５】
人に関する情報を提供するように適応された識別器具であり、この識別器具が、
人によって着用されるかあるいは人に付けられるように適応された構造、
前記構造中あるいはその構造上に配置された回路、
前記回路に接続され、前記構造中あるいはその構造上に配置されたセンサーであり、識別器具外部のソースから人に関する情報を得るように適応されているセンサー、および
前記構造中あるいはその構造上に配置され、前記回路に結合されたデータ記憶装置であり、情報を格納するように適応されているデータ記憶装置を含む識別器具。
【請求項５６】
識別器具の所有者が、認可された持ち手か否かを確認する方法であり、識別器具が、持ち手に関するコード化されたデータの第１の集合を含む方法が、
a)識別器具の所有者に関するデータの第２の集合を得ること、
b)コード化されたデータの第２の集合を得るためにデータの集合をコード化すること、
c)識別器具に格納されているコード化されたデータの第１の集合をリーダへ通信すること、そして
d)コード化されたデータの第１と第2の集合が同一人物のものかどうか決めることを含む方法。
【請求項５７】
留め具が構造に付けられたバックルを含み、前記バックルが、調節可能に構造を人に取り付けるように適応さている、請求項1の識別器具。
【請求項５８】
乗り物の乗客に切符を発行し且つ搭乗手続をする方法であり、この方法が、
(a)チェックインで、
(i)識別バンドの乗客に関する識別データを格納し、そして
(ii)乗客に識別バンドを付け、
そして
(b)搭乗手続きで、
(i)乗客の識別バンド中の格納された識別するデータを受け取り、そして
(ii)乗客の身元を確認するために受信識別するデータを処理することを含む方法。
【請求項５９】
乗り物の旅客手荷物にタグを確実に付け且つ引き取る方法であり、
(a)出発時に
(i)識別バンドの乗客に関する識別データを格納し、
(ii)乗客に識別バンドを付け、そして、
(iii)乗客の預けられた手荷物の各アイテムに識別バンドを付け、
(b)そして手荷物引取所で、
(i)乗客の識別バンド中の格納された識別データを受け取り、
(ii)引き取られた手荷物の各アイテムの識別バンド中に格納された識別データを受け取り、
そして
(iii)引き取られた手荷物のアイテムがそれぞれ乗客に関係していることを確認するために受取りデータを処理することを含む、方法。
【請求項６０】
移民資格を人に関連させる方法であり、この方法が、
関心のある国の人の移民資格を決定し、
識別器具に人に関する移民資格および識別データを格納し、そして
人に識別器具を供給することを含む方法。
【請求項６１】
動物に知覚可能な物質を放出するように、インジケータが適応されている、請求項48の識別器具。
【請求項６２】
機械で知覚可能な物質を放出するように、インジケータが適応されている、請求項48の識別器具。
【請求項６３】
人に関する音響情報を得るように適応された音響センサーをさらに含む請求項1の識別器具。
【請求項６４】
人に関する音響情報を得るように適応された音響センサーをさらに含む請求項15の識別器具。
【請求項６５】
人に関する情報を光学的に得るように適応された光学センサーをさらに含む請求項1の識別器具。
【請求項６６】
人に関する情報を光学的に得るように適応された光学センサーをさらに含む請求項15の識別器具。
【請求項６７】
人に関する情報を化学的に得るように適応された化学センサーをさらに含む請求項1の識別器具。
【請求項６８】
人に関する情報を化学的に得るように適応された化学センサーをさらに含む請求項15の識別器具。
【請求項６９】
前記導電体が、導電性のワイヤーまたはファイバー、導電性の箔、溶解可能な導電体あるいは構造上に印刷した導電体の1つ以上を含む、請求項9の識別器具。
【請求項７０】
前記閉鎖部が、導電性接着剤、導電性閉鎖機構、磁気閉鎖機構、導電性リベットかステープル、圧着された材料あるいは導電体と接近した熱結合材料の1つ以上を含んでいる、請求項9の識別器具。
【請求項７１】
前記留め具が第１の接触部および第２の接触部を含み、前記回路が、第１と第2の接触部が電気的通信状態にあるかどうか決める、請求項9の識別器具。
【請求項７２】
前記留め具が第１の接触部および第２の接触部を含み、前記回路が、第１と第2の接触部が誘導通信状態にあるかどうか決める、請求項9の識別器具。
【請求項７３】
前記留め具が、第１の接触部および第２の接触部を含み、前記回路が、第１と第2の接触部が誘導通信状態であるかどうかを決める、請求項9の識別器具。
【請求項７４】
前記データ記憶装置が1つ以上の有機物質から完全に作られる、請求項25の識別器具。
【請求項７５】
外部データベースに記憶するための情報の少なくとも1部分と通信し、かつ外部に記憶された情報へのリンクをデータ記憶装置に格納するように、前記回路が適応されている、請求項25の識別器具。
【請求項７６】
外部データベースに記憶するための情報の少なくとも1部分と通信し、かつ外部に格納された情報へのリンクをデータ記憶装置に格納するように、前記回路が適応されている、請求項34の識別器具。
【請求項７７】
前記回路が外部通信システムからコマンドを受信するように適応されており、前記コマンドが識別器具の操作の特徴を変更するように適応されている、請求項1の識別器具。